(57)【要約】  容器キャップ（１０）は、第１パネル（１２）を含むカバーと、第１パネルに接触したスカート（１８）と、第１パネルの第１面に接着した取り出し用窓（２０）を含むことができる。第１パネルは外周（１６）と内周、第１面と第２面を持つことができる。取り出し用窓は第１パネルの第１面に接着することが可能である。取り出し用窓は、そこから物品の分配が可能である取り出し口（２２）を持つことができる。【選択図】図１
2008525283.tif 000002
【特許請求の範囲】
【請求項１】
第１パネルを含み、該第１パネルが外周及び内周並びに第１面及び第２面を持つカバーと、
第１パネルに対し接触状態にあるスカートと、
第１パネルの第１面に取り付けられた取り出し用窓と、
を備え、
前記取り出し用窓が、物品を取り出すのを可能にする取り出し孔を持つことを特徴とする容器キャップ。
【請求項２】
前記取り出し孔が、Ｘ形、Ｙ形、ダブルＹ形、Ｉ形、スリット、Ｖ形、波形、円形、三角形、不規則形状、及び上述した形状のうち少なくとも１つを含む組み合わせからなるグループより選択された形状を有することを特徴とする請求項１に記載の容器キャップ。
【請求項３】
物品が、ティッシュ製品、紙製品、不織ポリマー製品、含湿拭き布、実質的に乾燥した拭き布、及び上述した物品のうち少なくとも１つを含む組み合わせからなるグループより選択された物品であることを特徴とする請求項１に記載の容器キャップ。
【請求項４】
前記カバーがさらに、弱められた線に沿って前記第１パネルの内周に結合された第２パネルを含み、前記第２パネルが除去可能な領域を含むことを特徴とする請求項１に記載の容器キャップ。
【請求項５】
前記カバーが、板紙、ポスターボード、カートンボード、ボール紙、ポリマー材料、及び上述したカバー材料のうち少なくとも１つを含む組み合わせからなるグループより選択されたカバー材料から形成されたことを特徴とする請求項１に記載の容器キャップ。
【請求項６】
前記スカートが、熱可塑材料からなることを特徴とする請求項１に記載の容器キャップ。
【請求項７】
前記取り出し口が、ポリマー材料、天然及び／又は合成の不織材料、紙材料、及び上述したもののうち少なくとも１つを含む組み合わせからなるグループより選択された１つの取り出し口材料から形成されたことを特徴とする請求項１に記載の容器キャップ。
【請求項８】
前記スカートが第１端と第２端を含み、前記カバーは、前記カバーの前記第２面が前記スカートの外面の少なくとも一部を覆うように前記スカートの周りに延びることを特徴とする請求項１に記載の容器キャップ。
【請求項９】
前記スカートの前記第２端が、前記スカートの前記第１端より小さい開口部を持つことを特徴とする請求項７に記載の容器キャップ。
【請求項１０】
前記スカートがさらに、前記スカートの外面の少なくとも一部の周りに配置された第１突起を含むことを特徴とする請求項１に記載の容器キャップ。
【請求項１１】
前記スカートがさらに、前記カバーの内面から内向きに延びて前記カバーの上面に係合する第２突起を含むことを特徴とする請求項１に記載の容器キャップ。
【請求項１２】
前記スカートがさらに、前記第１パネルの周りに延びる第１突起を含むことを特徴とする請求項１１に記載の容器キャップ。
【請求項１３】
前記第１突起が、分割されていることを特徴とする請求項１２に記載の容器キャップ。
【請求項１４】
前記スカートがさらに、前記第１端と前記第２端との間において内面上に配置された第３突起を含むことを特徴とする請求項１２に記載の容器キャップ。
【請求項１５】
前記スカートがさらに、前記第１端と前記第２端との間において内面上に配置された第３突起を含むことを特徴とする請求項１に記載の容器キャップ。
【請求項１６】
前記スカートがさらに、第１端に隣接して配置されたリップを含むことを特徴とする請求項１に記載の容器キャップ。
【請求項１７】
外周と内周及び第１面と第２面を持つ第１パネルと、除去可能な領域を含み、弱められた線に沿って前記内周に結合された第２パネルとを含むカバーと、
第１突起を含み、前記第１パネルに対して接触状態にあるスカートと、
物品を取り出すのを可能にする取り出し孔を持ち、前記第１パネルの第１面に取り付けられた取り出し用窓と、
からなる容器キャップ。
【請求項１８】
開口端、容器内面、及び容器外面を有し、物品を収容できる容器本体と、
前記開口端において前記容器本体に物理的に接触するように配置された容器キャップと、
からなり、
前記容器キャップが、
外周、内周、第１面及び第２面を持つ第１パネルからなるカバーと、
前記第１パネルに対し接触状態にあるスカートと、
前記第１パネルの前記第１面に取り付けられたポリマーフィルムと、
からなり、該ポリマーフィルムが前記容器から物品を取り出すのを可能にする取り出し口を持つことを特徴とする容器。
【請求項１９】
前記スカートが、前記容器内面に係合することを特徴とする請求項１８に記載の容器。
【請求項２０】
容器内に配置された物品をさらに含み、該物品が、ティッシュ製品、紙製品、不織ポリマー製品、及び上述したもののうち少なくとも１つを含む組み合わせからなるグループより選択されたものであることを特徴とする請求項１８に記載の容器。
【請求項２１】
前記カバーがさらに、弱められた線に沿って前記第１パネルの内周に結合された第２パネルを含み、該第２パネルが除去可能な領域を含むことを特徴とする請求項１８に記載の容器。
【請求項２２】
前記容器本体が、板紙、ポスターボード、カートンボード、ボール紙、及び上述したもののうちの少なくとも１つを含む組み合わせからなるグループより選択された容器材料から形成されたことを特徴とする請求項１８に記載の容器。
【請求項２３】
前記容器キャップの第１端の直径が、前記容器キャップの第２端の直径よりも大きく、前記第１端が前記第１パネルの前記第１端と同じ側で容器キャップに配置されたことを特徴とする請求項１８に記載の容器。
【請求項２４】
前記容器本体及び前記容器キャップが、円形、楕円形、長方形、正方形、三角形、多角形及び不規則形からなるグループより選択された断面形状を持つことを特徴とする請求項１８に記載の容器。
【発明の詳細な説明】
【技術分野】
【０００１】
本発明は、使い棄てシートを取り出すための容器キャップに関する。
【背景技術】
【０００２】
内部にあらかじめ折りたたんだシートの積み重ね体又は束が入った容器を含む使い棄てシートディスペンサーは、市販品として入手可能である。これらの容器は、通常、長方形の形状で、下面は閉じ、上面が開いている。上面開口部は、側面及び上面開口部の一部を形成しているボール紙或いは板紙に接着されたポリフィルムを有することができる。例えばＫｌｅｅｎｅｘ（商標登録）製ティッシュ箱は、ティッシュを取り出すことができる開口をもったポリフィルムの上部を有する。
【０００３】
しかしながら、内部の物品を容易に取り出すことができる異なる取り出し口設計に対する必要性、特に多種多様な形状やサイズの容器に適応できる設計に対する必要性が残っている。
【０００４】
【特許文献１】米国特許第５，６４７，５０１Ａ
【特許文献２】米国特許第６，０５３，３５３Ａ号
【特許文献３】米国特許第６，１９６，４５１Ｂ１号
【特許文献４】米国特許第６，４７１，０８３Ｂ１号
【特許文献５】米国特許第６，５２３，７１３Ｂ１号
【特許文献６】米国特許第６，５８５，１３１号
【特許文献７】米国特許第６，５９２，００４号
【特許文献８】米国特許第６，７６６，９１９号
【発明の開示】
【課題を解決するための手段】
【０００５】
ここに開示するのは、使い棄てシートを取り出すための容器キャップ及び容器である。一実施形態では、容器キャップは、第１パネルと、該第１パネルに対し接触状態にあるスカートと、取り出し用窓とを含むカバーから形成することができる。第１パネルは、外周と内周及び第１面と第２面を持つものとすることができる。取り出し用窓は、第１パネルの第１面に取り付けることができる。取り出し用窓は、物品を取り出すことができる取り出し孔を持つようにすることができる。
【０００６】
別の実施形態では、容器キャップは、第１パネルと第２パネル、該第１パネルに対し接触状態にあるスカート、及び取り出し用窓を含むものとすることができる。第１パネルは、外周と内周及び第１面と第２面を持つことができる。第２パネルは、除去可能な領域を有するものとすることができ、弱められた線に沿って第１パネルの内周に結合することができる。取り出し用窓は、第１パネルの第１面に取り付けることができる。取り出し用窓は、物品を取り出すことができる取り出し孔を持つことができる。
【０００７】
一実施形態では、容器は、開口端と容器内面と容器外面とを有し、物品を収容することができる容器本体と、容器キャップとを含むことができる。容器キャップは、第１パネルと、該第１パネルに対し接触状態にあるスカートと、取り出し用窓とを含むカバーからなるものとすることができる。第１パネルは、外周と内周及び第１面と第２面を持つことができる。取り出し用窓は、第１パネルの第１面に取り付けることができる。取り出し用窓は、容器から物品を取り出すための取り出し孔を有するものとすることができる。スカートは、容器本体の開口端において容器内面及び／又は容器外面に係合させることができる。
【０００８】
上述及びその他の特徴を、以下に示す図と詳細な説明によって例示する。
図を参照すると、図は例示的なものであって、限定的なものではなく、同一の縮尺で描かれたものではなく、幾つかの図において、同様な要素は同様な数字を付してあり、各々の図に関して説明されることはない。
【発明を実施するための最良の形態】
【０００９】
ここに開示するのは、使い棄てシートを取り出すための容器キャップと容器である。容器キャップは、外周及び内周を有する第１パネルと、該第１パネルに対し接触状態にあるスカートと、該第１パネルに取り付けられた取り出し用窓とを含むことができ、上記内周が開口部を形成する。スカートは、第１パネルの外周周りに配置することができ、及び／又は、少なくとも部分的に第１パネルにより覆うことが可能である（例えば、第１パネルはスカートの外面まで延ばすことができる）。ここに開示するすべての範囲は、包括的で併用可能である（例えば「約２５ｗｔ％まで、又は特に約５ｗｔ％から約２０ｗｔ％まで」の範囲とは、両端点と、「約５ｗｔ％から約２５ｗｔ％まで」の範囲の中間にあるすべての値を含む、など）。「第１」「第２」などの用語は、ここではいかなる順序、量または重要性を示すものではなく、むしろ１つの要素と別のものを区別するために用いられており、そして、「１つの」という用語も、ここでは量を限定することを示しているのではなく、むしろ記述された事項のうち、少なくとも１つの存在を示すものである。
【００１０】
図１を参照すると、一実施形態において、容器キャップ１０は、外周１４と開口部を定める内周１６とを持つ第１パネル１２と、該第１パネル１２の外周１４の周りに配置されたスカート１８と、第１パネル１２に結合され、接着され、或いは貼付された取出し部（例えば窓（透明でも、半透明でも、不透明のいずれでも可））２０を含む。取り出し用窓２０は取り出し孔２２を有し、取り出し用窓２０の第２面（示されていない）から取り出し孔２２を通り、取り出し用窓２０の第１面３８まで、容器から物品を取り出すことができる。
【００１１】
代替的に、又はそれに加えて、容器キャップは（図２の１００参照）、さらに第２パネル１１４を含むことができる。第２パネル１１４と第１パネル１２は一体となって取り出し用窓２０を覆うカバーを形成しており、第２パネル１１４が事前に除去されたり損傷があったりすれば不正があったことを示すので、容器に不正対策を設けることができる。該カバーは、例えば容器内部（容器内の物品など）の汚染を妨げるために取り出し孔２２を覆うようにすることができる。カバーは、カバーから第２パネル１１４を開け、及び／又は、カバーから第２パネル１１４を除去して第１パネル１２の内周１６を形成するための（ミシン目や刻み目などの）弱められた線１１６を含むことができる。弱められた線１１６は、第２パネル１１４の除去を可能にするが、使用者が除去を望むまでは十分に構造的な一体性を備えている。弱められた線１１６に沿ってカバーから第２パネル１１４を除去するのを容易にするため、カバーはさらに、任意の除去区域、例えばくぼみ１０８や、開口、タブ及び／又は同様なものを含むことができる。この除去区域により、使用者は（例えばくぼみ１０８で）第２パネル１１４をつかんだり、弱められた線１１６に沿って第１パネル１２から第２パネル１１４を切り離したりすることが可能になる。第２パネル１１４を引き上げ、及び／又は除去することで、取り出し用窓２０上に取り出し孔２２が露出される。
【００１２】
図４、５を参照すると、一実施形態において、容器２００は容器本体２１０と容器キャップ１０を含む。容器本体２１０は、開口端２１２、容器内面２１４及び容器外面２１６を有する。容器本体２１０は、例えば、紙、木材、金属、布、ポリマー材料など、及び、上述した材料のうち少なくとも１つを含む組み合わせなど、さまざまな材料から作成することができる。例えば、容器本体は、板紙、ポスターボード、カートンボード、ボール紙など、及び、上述したもののうち少なくとも１つを含む組み合わせから形成することができ、また熱可塑性フィルムといったポリマー材料を含むことができる。加えて、図４、５は円筒形の容器本体２１０を示しているが、容器本体２１０は他のいかなる好適な形状をとることもできる。容器本体２１０及び／又は容器キャップがとりうる形状は、以下に限定する意味ではないが、長方形、正方形、楕円形、三角形、円筒形、多角形（例えば五角形、六角形、八角形など）、その他の丸みをもった形状、不規則な形状などを含むことができる。したがって、容器本体及び容器キャップが取り得る断面構造も、円形、楕円形、長方形、正方形、三角形、多角形、不規則形状などを含む。
【００１３】
さらに、容器キャップ１０は、容器本体２１０の開口端２１２と同じ形状にすることができ、キャップ１０の外面２４を容器内面２１４、開口側２１２の容器外面２１６及び／又は容器本体２１０に係合させることが可能な寸法にすることができる。幾つかの実施形態においては、容器は開口端２１２と同様な２つの開口端を持つことができ、容器キャップ１０は物品がどちら側からでも分配できるように、両方の開口端に係合させることができる。一実施形態では、キャップは直径（キャップの最長軸で計測した場合の）が約３０ミリメートル（ｍｍ）から約１２０ｍｍとすることができ、或いは、より特定的には、約４５ｍｍから約１００ｍｍ、そしてさらに特定的には、約５５ｍｍから約５ｍｍとすることができる。これらのキャップは、丸みをもった形状の容器、例えば円筒形や他の円形の缶に有用である。
【００１４】
別の実施形態においては、例えば楕円形のキャップ及び容器の場合、キャップは、長軸が約１００ミリメートル（ｍｍ）から約２００ｍｍ、特定的には約１２０ｍｍから約１７５ｍｍ、さらに特定的には約１３０ｍｍから約１６５ｍｍとすることができる。短軸は、約７０ミリメートル（ｍｍ）から約１５０ｍｍ、特定的には約７５ｍｍから約１３０ｍｍ、さらに特定的には約８５ｍｍから約１１０ｍｍとすることができる。一実施形態では、長軸が約１５０ｍｍで、短軸が約９５ｍｍであった。
【００１５】
内面２１４及び／又は外面２１６への係合は、多様なキャップ設計によってお遂行する行うことができる。この設計はまた、キャップ１０、１００、３００、４００、５００のように、容器本体２１０内に入り込むことがなく、或いは容器本体からはずれることがなく、容器本体２１０の開口端２１２にキャップを固定的に配置することを助長するものとすることができる。例えば、スカート１８、１１８、５１８は、傾斜して延びる部分とし、第２端３６の開口が第１端３４と比較して小さくなるようにすることができる（例えば第１端５３４から第２端５３６までの直径の減少、すなわちスカートが図３に図示されているように、第１端５３４から第２端５３６までを徐々に細くすることができる）。任意であるが、スカート１８の外面２４は、例えば第１突起１０２といった構造上の特徴が該外面２４の周り全体又は一部に延びるようにして、スカートの外面２４が容器内面２１４及び／又は容器外面２１６に摩擦係合するのを助長又は支援し、及び／又はスナップ係合、一方向性ロックなど、及びそれと同様のもの、並びに上述したもののうち少なくとも１つを含む組み合わせを可能にすることができる。第１突起は、容器の締まり嵌めを形成し、キャップが望ましい位置にとどまるようにする働きをすることができる。突起として可能性のあるものには、リブ、突出物、溝、リップ状部分、棚状部分、タブ、戻り止め、スポーク、ねじ状隆起部など、並びに上述したもののうち少なくとも１つを含む組み合わせが含まれる。例えば、スカート１８、１１８、５１８は、例えば摩擦嵌合を形成し、及び／又は、容器本体２１０内部に配置された後は容器２００からキャップ１０、１００がはずれるのを妨げるために、任意で、接着剤、容器本体２１０の内面２１４に係合することができる構造上の特徴（例えば第１突起）１０２、及び同様なものを含むことができる。任意で、キャップは、容器の詰め替えができるように、取り外し可能にすることができる。
【００１６】
スカートの別の任意の特徴は、第１端１０６に隣接して（すなわち、その位置又はその近傍に）配置することができるリップ状部１１０である（図３参照）。例えば、挿入状態でキャップが容器本体の端部に対して実質的に同一面になるようにすることが望まれる場合には、リップ状部は、容器本体２１０に係合するのに十分な長さだけ、スカートの第１端１０６から突出させるか、或いは、もっと具体的には、リップ状部１１０は、容器の壁面の厚さと同じ幅にすることができる。このリップ状部は、スカート１８、１１８、５１８の周りに延びる単一の構造でもよいし、複数の縁部分を含むこともできる。
【００１７】
図６〜１１は、様々なキャップ設計を使用するキャップ１０と容器本体２１０の内面２１４及び／又は外面２１６との係合を種々例示している。図６、８、１０は、内面２１４との係合を図示したものである。図１０には、第１突起１０２が、容器本体２１０に対して、例えば締まり嵌めを形成するように摩擦係合する状態が示されている。図７は外面２１６との係合を、図９は内面２１４及び外面２１６に対する係合を図示する。
【００１８】
スカート１８は、容器本体２１０への係合を行うのに加えて、カバー、すなわち、もっと具体的に言うと第１パネル１２に係合し、構造的な一体性を与えることができる。支持は種々の形態で行うことができ、例えばスカート１８の周りに配置された第２突起２８を使用して行うことができる。第２突起（スポーク）２８は、例えばスカート１８の内面２６（その位置又はその近傍）から内向きに延ばして第１パネルに係合するようにし、及び／又はスカート１０の内部の周りに延びるようにすることが可能である。
【００１９】
任意に第３突起（リブ３２など）を設けて一層の構造的一体性を与えるようにすることができ、その突起は、例えば第１端１０６と第２端１０４との間で、スカートに沿って（また任意で第１端１０６から第２端１０４まで）延びるようにすることができる。これらの第３突起３２は、スカートと第１パネルとの間の結合を補強することができ、容器本体２１０に係合させたり、容器本体から外したりすることが望まれるときに、容器キャップ１０の把持力を強めるように作用する。
【００２０】
スカート１８は、容器本体２１０の開口端２１２内に挿入して内面２１４に係合させることができるように、十分な構造的一体性のある材料、例えば成形可能な熱可塑材料、（例えば十分な剛性を持った）線維材料、及び同様な材料から形成することができる。例示的な熱可塑材料には、以下に限定するものではないが、ポリオレフィン、ポリエステル、ポリアミド、ポリカーボネート、ポリウレタン、ポリ塩化ビニル、ポリテトラフルオロエチレン、ポリスチレン、ポリエチレンテレフタレート、生物分解性ポリマー（例えばポリ乳酸など）、これらのコポリマー及びこれらの混合物が含まれる。好適なポリオレフィンは、以下に限定するものではないが、例えば高密度ポリエチレン、中密度ポロエチレン、低密度ポリエチレン及び直鎖状低密度ポリエチレンのようなポリエチレン、例えばアイソタクチックポリプロピレン、シンジオタクチックポリプロピレン、アイソタクチックポリプロピレンとアタクチックポリプロピレンの混合物、及びこれらの混合物などのようなポリプロピレン、例えばポリ（１−ブテン）及びポリ（２−ブテン）のようなポリブチレン、例えばポリ（１−ペンテン）及びポリ（２−ペンテン）のようなポリペンテン、ポリ（３−メチルペンテン−１）、ポリ（４−メチルペンテン−１）、及び同様なものなどと、並びに、上述したポリオレフィンのうちの少なくとも１つを含む組み合わせを含む。例示的なコポリマーは、エチレン／プロピレン及びエチレン／ブチレンコポリマーといった、２つないしそれ以上の異なった不飽和オレフィンのモノマーから形成された不揃いの、そして塊状のコポリマーを含む。好適なポリアミドは、ナイロン６、ナイロン６／６、ナイロン４／６、ナイロン１１、ナイロン１２、ナイロン６／１０、ナイロン６／１２、ナイロン１２／１２及びカプロラクタム、アルキレンオキシドジアミンのコポリマーなど、並びに、上述したポリアミドのうち少なくとも１つを含む組み合わせを含む。好適なポリエステルは、ポリエチレンテレフタレート、ポリトリメチレンテレフタレート、ポリブチレンテレフタレート、ポリテトラメチレンテレフタレート、ポリシクロヘキシレン−１、４−ジメチレンテレフタレート、及びこれらのイソフタレートコポリマーなど、並びに、上述したポリエステルのうちの少なくとも１つを含む組み合わせを含む。その他の使用可能な材料としては、上述したすべての材料のうち少なくとも１つを含む組み合わせがある。
【００２１】
カバー（例えば第１パネル１２及び第２パネル１１４）、又はその一部は、容器内の製品を保護するために、及び／又は、製品の区別、識別を向上するために使用することができ、例えば第１パネルを製品の区別、識別が容易にできる構造にすることも可能である。カバーは、希望どおりの構造的一体性が可能なあらゆる材料を含むことができ、取り出し用窓２０に結合させるか或いは接着させることができる。材料は、表面に図柄を受け入れることができることが望ましく、例えば、材料は、板紙、ポスターボード、カートンボード、ボール紙、ポリマー材料（例えばポリフィルムラップ及び同様のものなどの熱可塑性物質）、不織材料（例えば天然及び／又は合成の不織材料）など、並びに、上述した材料のうちの少なくとも１つを含む組み合わせを含む。任意で、第１パネル１２と第２パネル１１４は異なる材料とすることもできる。
【００２２】
第１パネル１２は、取り出し用窓２０を保持し、取り出し用窓２０を通しての物品の取り出しを可能にし、かつ、スカート１８に係合する寸法及び形状を持つことができる。例えば、第１パネル１２は、スカート１８の内部周りにおいて、スカート１８の中心方向に延びるリングを形成することができる。この第１パネル１２は、スカート１８の内面２６に接触させてもよいが、任意的には、１つ又はそれ以上のスポーク２８及び／又はリブ３２によってその位置を保持してもよく、及び／又は、第１パネルは、スカート１８の周りを、第２端周りから、スカート１８の外面に沿って第１端１０６の方向に延びるようにすることも可能である（例えば、この形態では、第１パネル１２がキャップの外面２４を形成することになるであろう）。カバーはまた、第２パネル１１４を含むこともできる。第２パネル１１４の設計は、（例えば清潔さなど）物品の完全性を保持することができ、取り出し用窓２０に接近すること、したがって容器本体内に収容された物品に対して接近することを可能にし、そしてまた、製品の差別化と、製品の美しさを高めることもできる。第２パネル１１４は、第１パネル１２から、ミシン目、マーク、切り込み線及び同様なものによって切り離すことができ、これらのミシン目、マーク、切り込み線などは、カバーの構造的一体性を弱める箇所を形成して、希望するときに第２パネルを容易に除去することができるようにするが、除去したくないときは完全な状態を維持する。第２パネル１１４はまた、除去可能な領域を持つことができる。この領域は、カバーからの除去に際して第２パネル１１４を把持できるように設計することができる。除去可能な領域１０８の寸法及び形状は、第２パネル１１４と取り出し用窓２０の間を通して指一本を第２パネル１１４に係合させるのに十分なものとすることができる。
【００２３】
カバーにキャップを形成するために、種々の方法を採用することができる。例えば、カバーをプリフォームとして用いて、射出成形法を採用することができる。射出に際して、溶解した熱可塑材料がカバーに接着し、スカート１８がカバーに取り付けられる。例えば、射出成形は、高品質の射出成形キャップを形成するように熱可塑材料の均等な配分を確保できる形状の成形型内で遂行することができる。成形用型の周りに熱可塑材料が均等に配分されて、十分な厚さのスカートを持つ高品質のキャップを製作するのを可能にするために、多数の注入点を使用することができる。どんな射出用ノズル装置に対しても、型の寸法にとって利用空間が多くなるようにするために、熱可塑材料はカバーの上面に注入できるようにすることが望ましい。容器のキャップを形成するための別の方法は、「Ｃｏｍｐｏｓｉｔｅ  Ｌｉｄ  ｆｏｒ  Ｃｏｎｔａｉｎｅｒ（容器のための複数の要素で構成された蓋）」という名称の米国特許第５，６４７，５０１Ａ号、「Ｃｏｍｐｏｓｉｔｅ  Ｃｏｎｔａｉｎｅｒ  Ｃｌｏｓｕｒｅ（複数の要素で構成された容器用蓋）」という名称の米国特許第６，０５３，３５３Ａ号、「Ｐａｐｅｒ−ｓｉｄｅｄ  Ｃｏｍｐｏｓｉｔｅ  Ｌｉｄ（側面が紙製の容器用蓋）」という名称の米国特許第６，１９６，４５１Ｂ１号、「Ｉｎｄｕｃｔｉｏｎ−Ｓｅａｌｅｄ  Ｃｏｍｐｏｓｉｔｅ  ｃｏｎｔａｉｎｅｒ  Ｅｎｄ  Ｃｌｏｓｕｒｅ（誘導加熱接着された複数の要素によって構成された容器端蓋）」という名称の米国特許第６，４７１，０８３Ｂ１号、「Ｓｔａｃｋａｂｌｅ  Ｈｉｎｇｅｄ  Ｃｏｎｔａｉｎｅｒ  Ｌｉｄ  Ｈａｖｉｎｇ  Ｄｅｔｅｎｔｓ（戻り止め付きで積み重ねられる容器用蓋）」という名称の米国特許第６，５２３，７１３Ｂ１号に開示されている。
【００２４】
取り出し用窓２０は、例えば、熱結合（パターン結合など）、超音波接合、接着剤接合（例えば接着剤、樹脂、ラテックスなど）、及び／又は機械的接合（例えば通気乾燥取り付けなど）といった、様々な手法で第１パネル１２に取り付ける（例えば接着する）ことができる。ポリ製窓は、成形作業中に窓がプラグの一体部分となるような、イン・モールド・ラベル法によるものとすることができる。ポリ製窓は、本出願人に譲渡された米国特許第６，５８５，１３１号、米国特許第６，５９２，００４号及び米国特許第６，７６６，９１９号で述べられているように、共成形された取り出し用オリフィス及び同様のものとすることができる。任意であるが、取り出し用窓は、ポリフィルムではなく、ボール紙又はそれと同様のものに切り込み形勢された指状部のようなものとすることができる（例えば、第２パネルに直接形成され、取り出し用窓２０がパネルによって形成されるようなもの）。例えば、取り出し用窓２０は、連続した継ぎ目又はパターンを使用して結合することができる。さらに別の例として、取り出し用窓２０は、第１パネル１２の外周１４に沿って結合することができ、及び／又は、スカート１８の第１端とは反対側の第１パネルの部分に取り付けることもできる。
【００２５】
取り出し用窓２０は、第１パネル１２の材料に取り付けることができ、満足な取り出しに使用することができる取り出し用窓材料から構成することができる。取り出し用窓材料は、望ましい形状を有する取り出し口２２を形成するように容易に切り取ることができるものが望ましい。取り出し用窓材料の例としては、以下に限定するものではないが、ポリエチレン、ポリプロピレン、ポリエステル、ポリ塩化ビニル、熱硬化性ゴム及び熱可塑性エラストマー材料などのポリマー材料、天然及び／又は合成の不織材料、板紙、ポスターボード、カートンボード及びボール紙などの紙材料、及び同様なもの、並びに、上述した取り出し用窓材料のうちの少なくとも１つを含む組み合わせがある。好適な熱可塑性エラストマー材料には、これらに限定するものではないが、スチレンベースの熱可塑性エラストマー材料、エチレン−メチルアクリレートコポリマー、ポリウレタン、アミド、オレフィンベースの熱可塑性エラストマー材料、オレフィン加硫物、ポリエステル、及びどうようなもの、並びに、上述した熱可塑性エラストマー材料のうちの少なくとも１つを含む組み合わせが含まれる。
【００２６】
取り出し口２２は、容器から容易に物品を取り出すのに好適なパターンを持つことができる。好適なパターンには、Ｘ形状、Ｙ形状、ダブルＹ形状、Ｉ形状、切り込み形状、Ｖ形状、波形状（例えば波形、刻み歯型など）、円形状（例えば円形、楕円形など）、三角形状、不規則形状、その他の幾何学的形状を含み、米国特許第６，５８５，１３１号、米国特許第６，５９２，００４号、米国特許第６，７６６，９１９号に記載されている形状も、上述したパターンのうちの少なくとも１つを含む組み合わせも同様である。例えば、物品が容器から取り出される際に、Ｘ形状の取り出し口は、例えば４つの三角形を作り、物品の取り出しが容易にできるように開く。
【００２７】
キャップ１０、１００、３００は、容器本体２１０の一端部に配置することができる。容器本体２１０内は、物品（例えば使い棄てシート、ティッシュなど）を収容している。物品は、分配用スリット切り込み２２を通して容易に取り出すことができるように容器内に配置することができる。例えば、使い棄てシートはロール状に（例えば、ロール状にしてミシン目を入れる）し、折りたたみ、又は他の手法で容器本体２１０内に配置することができる。使い棄てシートの好適な折りたたみ技術は、限定するものではないが、Ｃ折り、Ｖ折り、折り込み、複数折り込みなど、並びに、上述した折りたたみ技術のうち少なくとも１つを含む組み合わせを含む。
【００２８】
容器２００は、使い棄てシート、例えばティッシュ製品、紙製品、不織ポリマー製品など、及び、上述したもののうちの少なくとも１つを含む組み合わせ、例えば含湿拭き布、実質的に乾燥した拭き布、ティッシュペーパー、及び同様のものを配布するために使用することができる。使用可能な使い棄てシートとしては、以下に限定するものではないが、筆記用物品、印刷用物品、包装用物品、衛生用物品、工業用紙、新聞印刷用物品、外装用ライナー物品、例えばトイレットペーパー、化粧用ティッシュ及びタオルなどのティッシュ製品、並びに、吸収性パッド、おむつのような吸収性物品に使用される取り込み用ウエブ、ベッドパッド、含湿拭き布（例えば、通常はウェット拭き布と呼ばれるもの）、実質的に乾燥した拭き布（例えば、所望のクレンザー、ローション及び／又は同様のものを含浸させ、乾燥させた拭き布）、食肉及び家禽用パッド、女性ケアパッドなど、さらに、上述したもののうちの少なくとも１つを含む組み合わせのような、他のセルロース構造がある。
【００２９】
容器キャップは、容器から使い棄てシートを取り出すための安価な方法と取り出し構造を提供することができる。取り出し用窓２０上の取り出し口２２は、容器から使い棄てシートを容易に取り出すのを可能にする。また、容器キャップは、容器内の物品の覆いを構成することもできる。例えば、この配置は、自動車のカップホルダー（例えば円形ホルダー）内に保持し、そこから簡単にティッシュを取り出すことができるティッシュ容器の製造を可能にする。
【００３０】
キャップのこの設計は、その製品及び出所を特定する高品質の図柄を表示するための媒体（例えば広告媒体）ともなる。その図柄は、第２パネル１１４の上面及び／又は底面に表示することができる。好適な図柄としては、限定するものではないが、クーポン、製品情報、広告、不法開封できない旨の情報など、並びに、上述したもののうちの少なくとも１つを含む組み合わせがある。代替的に、又はそれに加えて、取り出し用窓は、クーポン及びラベルの形態の図柄を含むことができる。
【００３１】
任意で、容器キャップは、容器内の使い棄てシートの外見や質感に似せたものとすることができる。例えば、使い棄てシートの外見に似せたつや消し仕上げは、容器キャップに希望のパターンを印刷し、その後で印刷されたパターンの上に半透明のポリマーフィルムのようなつや消し材料の薄板を積層して形成することができる。使い棄てシートの質感及び／又は外見に似せたつや消し又は触感仕上げは、つや消し（例えば曇り仕上げ）インクで容器キャップに印刷したり、曇り仕上げラッカーまたはつや消しラッカーで包装材料の表面の少なくとも１つの表面をラッカー仕上げしたり、物品の編み目又は風合いに似せた浮き出し模様を作るため、容器キャップにエンボス加工を施したり、或いは、容器キャップにエンボス加工及び印刷を行って浮き出し形態で、かつ印刷された模様を形成し、この場合、浮き出し模様と印刷模様は、互いに位置合わせされていても、位置外れであってもよく、また、浮き出し模様と印刷模様は、一部が位置合わせされ、一部が位置外れとなるようにしてもよい。
【００３２】
ある実施形態では、容器キャップは、容器キャップと結合した追加のパネル／コンポーネントを含むことができる。そのような付加的なパネル／コンポーネントは、スイッチ、タブ及び同様なもののように、指を使ってスイッチを押すことなどによって物理的な力を作用させて作動させることができるものから構成することができる。スイッチは、所望の音（例えば、音楽、ビーという音、口述（例えば使用説明）など、匂いなど、並びに、上述したもののうちの少なくとも１つを含む組み合わせを生じさせるために使用することができる。また、これらのパネル／コンポーネントとしては、付加的な製品情報、容器内の製品及び／又は他製品の広告、クーポン、目視用鏡、及び同様なもの、並びに、上述したもののうちの少なくとも１つを含む組み合わせがある。例えば、別の製品のサンプルをカバーの外面に取り付けることができ、及び／又は詰め替え用や他製品、又はその製品を再購入するためのクーポンを配置し、取り付け、書き込み、或いは、第２のパネルの下（例えば第２のパネルと取り出し口の間など）に配置することもできる。容器キャップは独立に製造され、次いで容器に係合させられるので、付加的なパネル／コンポーネントは、容易に容器キャップに取り付けることができる。
【００３３】
このように、容器キャップの板紙製の第１パネル及び第２パネルは、例えば製品のイラスト、会社の商標及び表装のデザインなど、複雑で色彩に富む、詳細な図柄を見せるための手段になり、他方、熱可塑性材料を含む容器キャップのスカートは、使い棄てシートの取り出し用容器のための耐久性のあるカバーとなる。
【００３４】
ここに述べたすべての特許、特許出願及び事柄は、引用によってここに組み込まれる。本出願と引用によって組み込まれた資料との間に何らかの矛盾があれば、本出願が支配的な文献となる。
【００３５】
本明細書は、例示的な実施形態について言及してきたが、本明細書の範囲からはずれることなく、当業者が様々な変更を加えたり、各要素と同等のもので代用したりすることが理解できるであろう。加えて、本質的な範囲からはずれることなく本明細書の教示に、ある特定の状況や材料を適応させるため、多数の修正がなされることもあり得るであろう。したがって、本開示は、その開示を実施するのに予想される最善の方法として開示された特定の実施形態に限定するものではなく、本明細書は添付した特許請求の範囲に入る、あらゆる実施形態を含むことを意図している。
【図面の簡単な説明】
【００３６】
【図１】容器キャップの一実施形態の斜視図である。
【図２】容器キャップの別の実施形態の斜視図である。
【図３】容器キャップのさらに別の実施形態の斜視図である。
【図４】容器本体の一実施形態の斜視図である。
【図５】使い棄てシートを取り出すための容器キャップを有する容器の一実施形態の斜視図である。
【図６】図５に示す容器キャップを有する容器の実施形態における６ー６線に沿った断面図である。
【図７】容器の外面に係合する容器キャップを有する容器の別の実施形態の断面図である。
【図８】図３の容器キャップを有する容器の断面図である。
【図９】容器の内面及び外面に契合する容器キャップを有する容器のさらに別の実施形態の断面図である。
【図１０】図２の容器キャップを有する容器の断面図である。
【符号の説明】
【００３７】
１０  容器キャップ
１２  第１パネル
１４  第１パネルの外周
１６  第１パネルの内周
１８  スカート
２０  取り出し用窓
２２  取り出し孔
２４  キャップの外面
２６  スカートの内面
２８  第２突起
３２  リブ
３４  スカートの第１端
３６  スカートの第２端
３８  取り出し用窓の第１面
１００  容器キャップ
１０２  第１突起
１０４  スカートの第２端
１０６  スカートの第１端
１０８  くぼみ／除去可能な領域
１１０  縁
１１４  第２パネル
１１６  弱められた線
１１８  スカート
２００  容器
２１０  容器本体
２１２  容器開口側
２１４  容器内面
２１６  容器外面
３００  容器キャップ
４００  容器キャップ
５００  容器キャップ
５１８  スカート
５３４  スカートの第１端
５３６  スカートの第２端
【図１】
2008525283.tif 000003
【図２】
2008525283.tif 000004
【図３】
2008525283.tif 000005
【図４】
2008525283.tif 000006
【図５】
2008525283.tif 000007
【図６】
2008525283.tif 000008
【図７】
2008525283.tif 000009
【図８】
2008525283.tif 000010
【図９】
2008525283.tif 000011
【図１０】
2008525283.tif 000012
【国際調査報告】
2008525283.tif 000013
2008525283.tif 000014